(57)【要約】      （修正有）【課題】  機械式時計は、文字盤の時間記号により時針や分針等で時刻が表示されており、昼と夜の時間帯の表示方法にも変化がない。又、自由な構図の装飾ができない構造上の制約があり、装飾性を高めるにことができない。【解決手段】  時針５のほぼ中央が時針用の駆動軸４につけられ、時針５が２４時間で一回転し分針６が１時間で一回転し連動する時計において、駆動軸４のもっとも上につけられた指針の前に隙間をあけて装飾用の目隠し装飾部８が設けられ、時針５の両端のうちどちらか一方が、目隠し装飾部８の下を通過するときに隠され見えなくなり、他方の先が目隠し装飾部８からはみ出して時刻を指示し、時間の経過にともなって時針５の両方の先が交互に目隠し装飾部から現れて時刻をしめす。時針５の先端に太陽状指針装飾部１９、月状指針装飾部２０を設けることにより、１２時間毎に、地平線上を運行する太陽、月を模した動作表示ができる。  【選択図】  図１
2005098952.tif 000002
【特許請求の範囲】
【請求項１】
時針や分針などの指針がつけられた駆動軸を動かす駆動軸機構が時計本体に設けられ、時針と分針は連動して動き、時針は時針用の駆動軸につけられ２４時間で一回転し、分針は分針用の駆動軸につけられ１時間で一回転し、時針のほぼ中央が時針用の駆動軸につけられ両方の先で指示できるに形にされ、駆動軸の真上が１２時とされて駆動軸を中心にして１８０度の範囲で時記号がつけられ、時針が１２時間で１８０度回転して１２時間の時刻を示し、駆動軸の真上が６０分とされ、駆動軸を中心に３６０度の範囲で６０分間の時刻を示す時計において、
上外縁と下外縁と先部とからなる目隠し装飾部が形成され、目隠し装飾部は駆動軸の最前部につけられた指針の前にすき間部が設けられてつけられ、先部は駆動軸の左側と右側で上外縁と下外縁の両端が交わる部分に形成され、上外縁は駆動軸の真上側で左側と右側の先部との間で、回転する時針の先がはみ出す形に形成され、下外縁は上外縁の下側で駆動軸の左側と右側の先部との間で、回転する時針の先を覆い隠す形に形成され、分針は分針の先が目隠し装飾部からはみ出す長さに形成された目隠し装飾部付時計。
【請求項２】
時針に指針装飾部がつけられ、指針装飾部は時針が回転するときに目隠し装飾部の下外縁より内側で、上外縁よりはみ出して見える部位で時針につけられた、請求項１記載の目隠し装飾部付時計。
【請求項３】
駆動軸を境にして時針の片方に太陽を模した太陽状装飾がつけられ、他方に月を模した月状装飾がつけられ、請求項２記載の目隠し装飾部付時計。
【請求項４】
目隠し装飾部が透明性の風防につけられた、請求項１乃至３記載の目隠し装飾部付時計。
【請求項５】
目隠し装飾部に支え部が設けられ、支え部を止め部で文字盤につけた、請求項１乃至４記載の目隠し装飾部付時計。
【請求項６】
目隠し装飾部に装飾用開口が設けられた、請求項１乃至５記載の目隠し装飾部付時計。
【請求項７】
指針装飾部の重心点より上に揺動支点が形成され、指針装飾部の揺動支点が時針に設けられた支点受けに揺動自在につけられた、請求項２及び３記載の目隠し装飾部付時計。
【請求項８】
目隠し装飾部の裏に照明具が設けられた、請求項１乃７記載の目隠し装飾部付時計。
【発明の詳細な説明】
【技術分野】
【０００１】  本発明は、時針のほぼ中央が時針用の駆動軸につけられ、時針と分針が連動して動き、時針が２４時間で一回転し分針が１時間で一回転する時計において、駆動軸のもっとも上につけられた指針の前に隙間をあけて装飾用の目隠し装飾部が設けられ、時針の両端のうちどちらか一方が、目隠し装飾部の下を通過するときに隠され見えなくなり、他方の先が目隠し装飾部からはみ出して時刻を指し示し、時間の経過にともなって時針の両方の先が交互に目隠し装飾部から現れて時刻をしめす時計に関するものである。
【背景技術】
【０００２】    従来より、時針や分針や秒針などの指針で搆成される機械式時計などの文字盤は、１２時間時計では、駆動軸を中心にして１２等分し、文字盤や本体の縁などに時間や分を表すための記号や文字類がつけられ構成されていた。また、２４時間時計では、駆動軸を中心にして２４等分し、文字盤や本体の縁など時間を表すための記号や文字類がつけられ構成されていた。１２時間時計と２４時間時計の分や秒の目盛りは、どちらも軸心を中心に１２等分または６０等分され分記号が文字盤や本体の縁などに配置されつけられていた。これらの従来の時計は、各指針が駆動部の各駆動軸につけられ連動して動き、秒針が１分で、分針が１時間で、時針が１２時間または、２４時間で一回転し時刻を示していた。時計の装飾は、文字盤や時計の枠に意匠をこらしたり、文字盤にキャラクターや図柄を印刷や刻印などを施していた。
【発明の開示】
【発明が解決しようとする課題】
【０００３】  従来からの機械式時計は、文字盤つけられた時間記号を時針や分針などの各指針で指示して時刻が表示されていた。数百年ものながいあいだ変わらぬその基本的機構や形状は、現在ありふれたもので飽きられかけており、昼と夜の時間帯の表示方法もに変化がなく太陽の運行による自然の営みをあらわすことができなかった。  また、文字盤にキャラクターや花などの図柄を印刷などして装飾する場合は、平面的で装飾性が乏しく、駆動軸が図柄をつらぬくた痛々しそうなデザインになりがちで装飾性を高めることができず、自由な構図の装飾ができないという構造上の制約があった。また、文字盤に描かれた図柄に駆動軸が貫通したり各指針の下に見えるため、文字盤につけられた図柄の装飾が損なわれていた。【０００４】  そこで、本発明のうち請求項１記載の発明は、時針や分針などの指針がつけられた駆動軸を動かす駆動軸機構が時計本体に設けられ、時針と分針は連動して動き、時針は時針用の駆動軸につけられ２４時間で一回転し、分針は分針用の駆動軸につけられ１時間で一回転し、時針のほぼ中央が時針用の駆動軸につけられ両方の先で指示できる形にされ、駆動軸の真上が１２時とされて駆動軸を中心にして１８０度の範囲で時記号がつけられ、時針が１２時間で１８０度回転して１２時間の時刻を示し、駆動軸の真上が６０分とされ、駆動軸を中心に３６０度の範囲で６０分間の時刻を示す時計において、【０００５】  上外縁と下外縁と先部とからなる目隠し装飾部が形成され、目隠し装飾部は駆動軸の最前部につけられた時計の指針の前にすき間部が設けられてつけられ、先部は駆動軸の左側と右側で上外縁と下外縁の両端が交わる部分に形成され、上外縁は駆動軸の真上側で左側と右側の先部との間で、回転する時針の先がはみ出す形に形成され、下外縁は上外縁の下側で駆動軸の左側と右側の先部との間で、回転する時針の先を覆い隠す形に形成され、分針は分針の先が目隠し装飾部からはみ出す長さに形成して、文字盤の上に指針の動くための隙間をもうけて目隠し装飾部をつけ、装飾の施された目隠し装飾部は文字盤から独立して段差がついて浮き上がって見えるようにして装飾性をたかめ、目隠し装飾部は、風景や人物などの各種装飾を自由に施すことにより、時計のほぼ中心的な目立つところを装飾することができ、時針や分針などの指針の陰になることがなく、駆動軸が貫通しないようにして、目隠し装飾部に施された装飾により時計の美観を高める。【０００６】  時針が回転するにつれて、目隠し装飾部の上外縁から時針の片方の先がはみ出して、装飾が施された上外縁の外を回転しながら、文字盤などの時間記号がつけられた１８０度の範囲を指して時間の時刻をしめし、時針の他方の先は目隠し装飾部の下に隠れ見えない、１２時間ごとに時針の先が交互に目隠し装飾部より出てはまた隠れを繰り返し、時針が１２時間で地平線上を運行する太陽を模した意外性のある動作をしながら時刻を示す目新しいデザインにする。【０００７】  午前６時と午後６時の決まった時間に時針が駆動軸を中心に水平となり、時針の両側が目隠し装飾部の下から部分的に見えるので、上外縁から突出し時刻を指示し隠れていく一方の時針と、これから上外縁から出て時刻を指示しはじめる他方の時針へ、目線が自然に移動し違和感なく時刻を読み取ることができ、決まった時間に時針が水平になることで昼と夜の時間の切り替わりを儀式のように強調したからくり時計的な装飾要素が付加される以上のような目隠し装飾部付時計の提供を目的とする。【０００８】  従来の時計で指針に装飾部品をつけて装飾性を高めたものがあるが、つねに装飾部が見えており変化に乏しいものであった。そこで、請求項２記載の発明は、請求項１記載の発明の目的に加えて、時針につけた指針装飾部が装飾性を高め、時間の経過ともなって時針と一緒に回転するときに、指針装飾部が目隠し装飾部に隠れてはまた現れる、意外性のある動作を繰り返す変化のある装飾ができるようにし、時針が目隠し装飾部の上外縁よりはみ出したときに、突出した部分が少なくても指針装飾部により時針を目立たせ時刻を読みやすくできる、目隠し装飾部付時計の提供を目的としたものである。【０００９】  請求項３記載の発明は、請求項２記載の発明の目的に加えて、
時針の片方の先に太陽を模した装飾をつけ、他方に月を模した装飾をつけ、昼と夜で時針につけられた装飾が１２時間ごとに切り替わって見えるようにし、昼の１２時間は太陽を模した太陽状指針装飾部が目隠し装飾部から出て時刻を指し示し、夜の１２時間は月を模した月状指針装飾部が目隠し装飾部から出て時刻を示すことで、地平線上の一日の昼と夜の空の様子を模して時刻を示すことができ、外が見えない室内でも昼と夜の時間帯が時針の装飾を見ただけですぐに判別でき、昼と夜で時針の装飾が変わる、目隠し装飾部付時計の提供を目的としたものである。【００１０】  従来の時計では、文字盤に装飾されるばあい駆動軸が貫通したり各指針の下になり装飾性が損なわれていた、そこで、請求項４記載の発明は、請求項１乃至３記載の発明の目的に加えて、風防に目隠し装飾部をつけることで時計の基本構造を変えることなく簡単に目隠し装飾部をつけることができる、目隠し装飾部付時計の提供を目的としたものである。【００１１】  請求項５記載の発明は、請求項１乃至４記載の発明の目的に加えて、目隠し装飾部に支え部が設けられ、支え部を止め部で文字盤につけることで、目隠し装飾部の堅牢性を高め重量のある装飾に耐えるようにするとともに、風防のない時計にも目隠し装飾部を設けられるようにした、目隠し装飾部付時計の提供を目的としたものである。【００１２】  請求項６記載の発明は、請求項１乃至５記載の発明の目的に加えて、目隠し装飾部に装飾用開口を設けて、目隠し装飾部の下を通過する各指針の一部が一時的に見え隠れする、目隠し装飾部付時計の提供を目的としたものである。【００１３】  請求項７記載の発明は、請求項２及び３記載の発明の目的に加えて、指針装飾部の重心点より上に揺動支点が形成され、指針装飾部の揺動支点が時針に設けられた支点受けに揺動自在につけられ、回転する時針の角度がどのように変化しても、指針装飾部が常に一定の角度を保つようにされたもので、指針装飾部が装飾に方向性のある装飾の場合、一例として顔を描いた太陽や月や雲や飛行機や天使などの装飾の場合に、斜めに傾いたりせずに常に一定の角度に姿勢が保たれる指針装飾部をもった、目隠し装飾部付時計の提供を目的としたものである。【００１４】  請求項８記載の発明は、請求項１乃至７記載の発明の目的に加えて、目隠し装飾部の裏面や裏側に位置する文字盤や本体などに照明具が設けられ、照明具のランプなどが点灯することで、照明具の光と目隠し装飾部の裏面にあたった光が反射して、文字盤や指針などが照らされて暗いところでも時間をしることができ、目隠し装飾部により照明具がかくされるので光が直に見えないのでにまぶしくなく、目隠し装飾部のまわりから適度にやわらげられた光を発し装飾性をたかめた、目隠し装飾部付時計の提供を目的とする。
【課題を解決するための手段】
【００１５】  前途した目的を達成するために、本発明の請求項１の発明は、時針や分針などの指針がつけられた駆動軸を動かす駆動軸機構が時計本体に設けられ、時針と分針は連動して動き、時針は時針用の駆動軸につけられ２４時間で一回転し、分針は分針用の駆動軸につけられ１時間で一回転し、時針のほぼ中央が時針用の駆動軸につけられ両方の先で指示できるに形にされ、駆動軸の真上が１２時とされて駆動軸を中心にして１８０度の範囲で時記号がつけられ、時針が１２時間で１８０度回転して１２時間の時刻を示し、駆動軸の真上が６０分とされ、駆動軸を中心に３６０度の範囲で６０分間の時刻を示す時計において、【００１６】  上外縁と下外縁と先部とからなる目隠し装飾部が形成され、目隠し装飾部は駆動軸の最前部につけられた指針の前にすき間部が設けられてつけられ、先部は駆動軸の左側と右側で上外縁と下外縁の両端が交わる部分に形成され、上外縁は駆動軸の真上側で左側と右側の先部との間で、回転する時針の先がはみ出す形に形成され、下外縁は上外縁の下側で駆動軸の左側と右側の先部との間で、回転する時針の先を覆い隠す形に形成され、分針は分針の先が目隠し装飾部からはみ出す長さに形成されたことを特徴とする。【００１７】  請求項２記載の発明は、請求項１記載の発明の目的に加えて、時針に指針装飾部がつけられ、指針装飾部は時針が回転するときに、目隠し装飾部の下外縁より内側で、上外縁よりはみ出して見える部位で時針につけられたことを特徴とする。【００１８】  請求項３記載の発明は、請求項２記載の発明の目的に加えて、駆動軸を境にして時針の片方に太陽を模した太陽状装飾がつけられ、他方に月を模した月状装飾がつけられたことを特徴とする。【００１９】  請求項４記載の発明は、請求項１乃至３記載の発明の目的に加えて、目隠し装飾部が透明性の風防につけられたことを特徴とする。【００２０】  請求項５記載の発明は、請求項１乃至４記載の発明の目的に加えて、目隠し装飾部に支え部が設けられ、支え部を止め部で文字盤につけられたことを特徴とする。【００２１】  請求項６記載の発明は、請求項１乃至５記載の発明の目的に加えて、目隠し装飾部に装飾用開口が設けられたことを特徴とする。【００２２】  請求項７記載の発明は、請求項１及び２記載の発明の目的に加えて、
指針装飾部の重心点より上に揺動支点が形成され、指針装飾部の揺動支点が時針に設けられた支点受けに揺動自在につけられたたことを特徴とする。【００２３】請求項８記載の発明は、請求項１乃至７記載の発明の目的に加えて、目隠し装飾部の裏に照明具が設けられたことを特徴とする。
【発明の効果】
【００２４】本発明のうち請求項１記載の発明は、時針や分針などの指針がつけられた駆動軸を動かす駆動軸機構が時計本体に設けられ、時針と分針は連動して動き、時針は時針用の駆動軸につけられ２４時間で一回転し、分針は分針用の駆動軸につけられ１時間で一回転し、時針のほぼ中央が時針用の駆動軸につけられ両方の先で指示できるに形にされ、駆動軸を中心にして１８０度の範囲で駆動軸の真上が１２時とされて時記号がつけられ、時針が１２時間で１８０度回転して１２時間ぶんの時刻を示し、駆動軸の真上が６０分とされ、駆動軸を中心に３６０度の範囲で６０分ぶんの時刻を示す時計において、【００２５】  上外縁と下外縁と先部とからなる目隠し装飾部が形成され、先部は駆動軸の左側と右側で上外縁と下外縁の両端が交わる部分に形成され、上外縁は駆動軸の左側と右側の先部との間で、回転する時針の先がはみ出す形で形成され、下外縁は上外縁の下側で駆動軸の左側と右側の先部との間で、回転する時針の先を覆い隠すおおきさに形成され、分針は分針の先が目隠し装飾部からはみ出す長さに形成され、目隠し装飾部は駆動軸を被う位置で駆動軸の最前部につけられた指針の前に、すき間部が設けられてつけられたものであるから、文字盤と目隠し装飾部の間に指針をつけるための隙間があるので、文字盤の上に目隠し装飾部が段差になって見え、目隠し装飾部は文字盤から独立しており浮き上がって立体的見えるので装飾的効果が増大する。【００２６】  文字盤の中央に施されたキャラクターなどの装飾とことなり、目隠し装飾部に施された風景や人物などの各種装飾を自由に施すことにより装飾は、時針や分針などの指針の前につけられので指針の陰になることがなく、目隠し装飾部を駆動軸が貫通しないので、目隠し装飾部に施された装飾の美観が損なわれない。目隠し装飾部は、風景や人物などの各種装飾を自由に施すことにより、時計のほぼ中心的な目立つところを装飾することができ、時針や分針などの指針の陰になることがなく、駆動軸が貫通しないようにして、目隠し装飾部に施された装飾により時計の美観を高める。【００２７】  時針が回転するにつれて、目隠し装飾部の上外縁から時針の片方の先がはみ出して、装飾が施された上外縁の外を回転しながら、文字盤などの時間記号がつけられた１８０度の範囲を指して時間の時刻をしめし、時針の他方の先は目隠し装飾部の下に隠れ見えない、１２時間ごとに時針の先が交互に目隠し装飾部より出てはまた隠れを繰り返し、時針が１２時間で地平線上を運行する太陽を模した意外性のある動作をしながら時刻を示す目新しいデザインになる。【００２８】  午前６時と午後６時の決まった時間に時針が駆動軸を中心に水平となり、時針の両側が目隠し装飾部の下から部分的に見えるので、上外縁から突出し時刻を指示し隠れていく一方の時針と、これから上外縁から出て時刻を指示しはじめる他方の時針へ、目線が自然に移動し違和感なく時刻を読み取ることができる。また、決まった時間に時針が水平になることで昼と夜の時間の切り替わりを儀式のように強調した、からくり時計的な要素が付加される。【００２９】  請求項２の発明は、請求項１に記載の発明に加えて、指針装飾部が目隠し装飾部の下外縁より内側になる位��で時針につけれらたもので、請求項１に記載の発明の効果に加えて、時針につけられた指針装飾部が時針の装飾性を高める。また、時間の経過とともに回転するときに、目隠し装飾部に隠れてはまた現れる、意外性のある動作を繰り返す変化のある装飾ができるようになる。また、時針が目隠し装飾部の上外縁より突出したときに、はみ出した部分が少なくても指針装飾部により時針を目立たせ時刻を読みやすくできる。【００３０】請求項３の発明は、請求項２記載の発明の指針装飾部に変えて、時針の片方に太陽を模した太陽状指針装飾がつけられ、他方に月を模した月状指針装飾がつけれらたもので、請求項２の発明の効果に加えて、時針の片方の先に太陽を模した装飾をつけ、他方に月を模した装飾をつけ、昼と夜で時針につけられた装飾が１２時間ごとに切り替わって見えるようにし、昼の１２時間は太陽を模した太陽状指針装飾部が目隠し装飾部から出て時刻を指し示し、夜の１２時間は月を模した月状指針装飾部が目隠し装飾部から出て時刻を示すことで、外が見えない室内でも昼と夜の時間帯が時針の装飾を見ただけですぐに判別でき、昼と夜で見える時針の装飾を変えることができる。【００３１】  請求項４記載の発明は、請求項１乃至３記載の発明に加えて、目隠し装飾部が透明性の風防につけられたもので、請求項１乃至３記載の発明の効果に加えて、風防に目隠し装飾部をつけることでと時計の基本構造を変えることなく簡単に目隠し装飾部をつけることができる。【００３２】  請求項５記載の発明は、請求項１乃至４記載の発明の加えて、目隠し装飾部に支え部が設けられ、支え部を止め部で文字盤につけたもので、請求項５記載の発明は、請求項１乃至４記載の発明の効果に加えて、目隠し装飾部が支え部と止め部より文字盤につけられることで、堅牢性を高め重量のある装飾に耐えるようにするとともに風防のない時計にも、目隠し装飾部を付けることが可能になる。【００３３】  請求項６記載の発明は、請求項１乃至５記載の発明に加えて、目隠し装飾部に装飾用開口が設けられたもので、請求項６記載の発明は、請求項１乃至６記載の発明の効果に加えて、目隠し装飾部に装飾用開口を設けて、目隠し装飾部の下を通過する各指針の一部が一時的に見え隠れする装飾の、目隠し装飾部を形成できる。【００３４】  請求項７記載の発明は、請求項２及び３記載の発明に加えて、指針装飾部の重心点より上に揺動支点が形成され、指針装飾部の揺動支点が時針に設けられた支点受けに揺動自在につけられたもので、請求項７記載の発明は、請求項２及び３記載の発明の効果に加えて、指針装飾部の重心点より上に揺動支点が形成され、指針装飾部が揺動支点と支点受けにより時針に揺動自在につけられるので、回転する時針の角度がどのように変化しても、指針装飾部が常に一定の角度を保つようにされたもので、指針装飾部が方向性のある装飾の場合、一例として顔を描いた太陽や月や雲や飛行機や天使などの装飾の場合に、斜めに傾いたりせずに常に一定の角度に姿勢が保たれ見た目に自然に感じられる指針装飾部を形成できる。【００３５】請求項８記載の発明は、請求項１乃至７記載の発明に加えて、目隠し装飾部の裏に照明具が設けられたもので、請求項８記載の発明は、請求項１乃至７記載の発明の効果に加えて、目隠し装飾部の裏面や裏側に位置する文字盤や本体などに照明具が設けられ、照明具のランプなどが点灯することで、照明具の光と目隠し装飾部に光が反射して、文字盤や指針などが照らされて暗いところでも時間をしることができる。目隠し装飾部により照明具がかくされるので、光が直に見えないのでまぶしくなく、目隠し装飾部のまわりから適度にやわらげられた光を発し装飾性がたかまる。
【発明を実施するための最良の形態】
【００３６】  図１、図２で示すものは、指針とは時計の時針５と分針６と秒針７を指すことばする。時針５が時針用駆動軸に、分針６が分針用駆動軸に、秒針７が秒針用駆動軸につけられ、秒針用駆動軸が筒状の分針用駆動軸の内側に内装され、分針用駆動軸が筒状の時針用駆動軸の内側に内装されて構成された駆動軸４が、モーターなどの原動部や歯車などの減速機構などからなる時計本体３に設けられ、文字盤２のほぼ中央に駆動軸用穴が開けられて、駆動軸４が駆動軸用穴に通されて突出され、文字盤２の裏側に時計本体３がつけられ、時計本体３は指針の時刻あわせの調整用のツマミ部が設けられている。【００３７】  時針５と分針６と秒針７は連動して回転しながら時刻を指示し、長板状の時針５のほぼ中央が、時針用駆動軸につけられて両方の先で時刻を指示できるに形にされ２４時間で一回転し、分針６は分針用駆動軸につけられ１時間で一回転し、秒針７は秒針用駆動軸につけられ１分で一回転し、駆動軸４を中心にして上半分の１８０度の範囲が１２等分されて、駆動軸４の真上が１２時とされ、駆動軸４の真左側から右回りで順番に６時、７時、８時、９時、１０時、１１時、１２時、１時、２時、３時、４時、５時、６時用の時間記号１０が、先部１５の外側の位置で文字盤２につけられ、時間記号１０は駆動軸４を中心とする円周上にほぼ１５度間隔で文字盤２につけられている。【００３８】  時間記号１０の一例として６時と８時と１０時と１２時と２時と４時と６時が数字で示され、７時と９時と１１時と１時と３時と５時が丸い記号でつけられている。分記号１１は時間記号１０の外側につけられ駆動軸４の真上を６０分とし、駆動軸４を中心に６度間隔で６０等分されて棒状の記号で文字盤２につけられ、主要な分記号１１が５分おきに駆動軸４を中心に右回りに、６０分、５分、１０分、１５分、２０分、２５分、３０分、３５分、４０分、４５分、５０分、５５分の順に３０度間隔で数字記号と形の長くされた棒状の記号でつけられている。【００３９】  風防１２はガラスや樹脂などの透明体で板状に形成され、駆動軸４の最前部につけられた秒針７から離されて、本体１の縁の周りに設けられた本体縁１６の内側につけられている。【００４０】  上外縁１３と下外縁１４と先部１５とで目隠し装飾部８が形成され、先部１５は駆動軸４の左側と右側で上外縁１３と下外縁１４の両端が交わる部分にく字形状に形成され、右側と左側の先部１５は駆動軸４を中心にして水平方向から下に３５度前後の角度の範囲内に形成され、上外縁１３は駆動軸４の左側と右側の先部１５との間で、回転する時針５の先がはみ出す形で、一例として円弧状に形成され、下外縁１４は上外縁１３の下側で駆動軸４の左側と右側の先部１５との間で、回転する時針５の先を覆い隠すおおきさで一例として円弧上に形成され、分針６は分針６の先が目隠し装飾部８からはみ出す長さに形成される。【００４１】  目隠し装飾部８は、薄板状やフィルム状のものなどに装飾用の図柄などが印刷され、駆動軸４の最前部につけられた秒針７の回転を妨げないように、秒針７の前にすき間部９が設けられて、ガラスや樹脂などの透明性の風防１２の裏面にそって、装飾用の図柄などを表側である風防１２の側にむけて透明性粘着フィルムや透明性粘着剤などで密着されてつけられ、駆動軸４を覆い隠してつけられている。【００４２】  目隠し装飾部８の裏に照明具２９が設けられており、照明具２９には図示されていないコード、電源、スイッチなどの点灯手段が見えないように文字盤２の裏側に設けらる。照明具２９は、目隠し装飾部８の裏で時計を表から見て目隠し装飾部８に覆い隠されて見えない任意な位置につけられ、図１、図２では駆動軸７の真下の方向で時計本体３の下の文字盤２に穴があけられてソケットに入れられてつけられている。【００４３】  時針５は駆動軸４から時針６の先端まで長さが、駆動軸４から先部１５と下外縁１４までの長さより短く、上外縁１３からはみ出す長さに形成され、上外縁１３よりはみ出して時間記号１０を指して時刻をしめし  駆動軸４を境にして時針５の片方の先に指針装飾部として太陽を写実的にまたは目鼻口などをつけて概念的に模して太陽を表す太陽状指針装飾部１９がつけられ、時針５の他方の先に指針装飾部として月を写実的にまたは目鼻口などをつけて概念的に模して月を表す月状指針装飾部２０がつけらている。【００４４】  分針６は分針６の先が目隠し装飾部８の、上外縁１３、下外縁１４、先部１５からはみ出す長さで形成され、分針６は駆動軸４から時針５の先までの長さより長くなり、分記号１１を指して分の時刻をしめす。秒針７は秒針７の先が目隠し装飾部８の上外縁１３、下外縁１４、先部１５からはみ出す長さで形成され分記号１１を指して秒の時刻をしめす。【００４５】  時針５が回転するにつれて、目隠し装飾部８の上外縁１３から時針５の片方の先がはみ出して、装飾が施された上外縁１３の外を回転しながら、文字盤２の時間記号１０がつけられた１８０度の範囲を指して時間の時刻をしめし、時針５の他方の先は目隠し装飾部８の下に隠れて見えない、１２時間ごとに時針５の先が交互に目隠し装飾部８より出てはまた隠れを繰り返し、時針５が１２時間で地平線上を運行する太陽を模した意外性のある動作をしながら時刻を示し、午前６時と午後６時の決まった時間に時針５が駆動軸４を中心に水平となり、時針５の両側が目隠し装飾部８の下から部分的に見える。分針６の先は、常に目隠し装飾部８よりはみ出して回転し、分記号１１を指し分の時刻である分刻が示され、秒針７の先は常に目隠し装飾部８からはみ出して回転し、分記号１１を指し秒の時刻である秒刻が示される。【００４６】  目隠し装飾部８は風景や人物や物や模様や文字などの自由にいろいろな装飾が印刷などにより施され、時計のほぼ中心的な広い部分に装飾を付加でき、駆動軸４と駆動軸４につけられた各指針の根元部分を隠し見えなくすることで装飾性が高まる。目隠し装飾部８に施された装飾は、時針５や分針６、秒針７の前につけられるので指針の陰になることがなく装飾性が損なわれない、目隠し装飾部８を駆動軸４が貫通しないので、目隠し装飾部８に施された装飾の美観を損なわない。【００４７】  目隠し装飾部８は駆動軸４につけられた最前部の指針の前にすき間部９を設けてつけられるので、目隠し装飾部８と文字盤２との間にすき間ができ、それが段差になって見え目隠し装飾部８は文字盤２から浮き上がって立体的に見えるので装飾的効果が���す。時間記号１０や分記号１１がつけられた文字盤２と目隠し装飾部８とが離れているので、目隠し装飾部８に風景や人物などの自然を表現した図柄の装飾にしても違和感のないまとまった形に仕上げられ多様なデザインがしやすい、目隠し装飾部付時計を提供できる。【００４８】  目隠し装飾部８の上外縁１３や下外縁１４の形状を円弧状にするだけでなく、上外縁１３や下外縁１４の縁の形状は目隠し装飾部８に装飾された山や樹木や家屋や町並みや動物や神仏像などの装飾の外形に合せて形成して多様性のある装飾にするこができる。【００４９】  目隠し装飾部８の上外縁１３は地平線や水平線を模して表し形成されたもので、１２時間で少しずつ回転する時針５の動きが地平線や水平線から出入りする太陽の運行を模してある。時針６の先が午前６時に水平になり駆動軸７の左側の上外縁１３から出てきて太陽の日の出を模し、１２時で駆動軸４の真上で垂直になり太陽の南中を模し、午後６時に再び水平になり駆動軸４の右側にはいっていき日の入りを模し、このとき同時に反対側の時針５の先が駆動軸４の左側の上外縁より出て夜の時刻を示すようにされ、時針５の先が先部１５の裏を通過するときに一時的にかくれ見えなくなり、時間の経過にともなって先部１５の裏を通り過ぎると再び見えるようになる動きが、昼と夜の時間帯の切り替わりを明確に表し時刻を示す意外性のある目隠し装飾部時計となる。【００５０】  時針５に太陽を模した太陽状指針装飾部１９と月を模した月状指針装飾部２０をつけ、昼の１２時間は太陽状指針装飾部１９がつけられた時針５で時刻を示し、夜は月状指針装飾部２０がつけられた時針５で時刻をしめせば、時針５を見ただけで昼と夜の時間帯をはっきり認識できる。また、上外縁１３からはみ出た時針５が、太陽状指針装飾部１９と月状指針装飾部２０により見つけやすくなる。【００５１】  また、午前６時と午後６時には、時針５が駆動軸４を中心に水平となり、時針５の両方の先が部分的に見えるので、上外縁１３からはみ出して時刻を指示し隠れていく時針５の片方の先と、これから上外縁１３から出て時刻を指示しはじめる時針５の他方の先へ、目線が自然に移動し違和感なく時刻を読み取ることが出きる。午前６時と午後６時には時針５の両側が見えることで昼と夜の時間の切り替わりを儀式のように強調した、からくり時計的な要素が付加された目隠し装飾部付時計となる。【００５２】  また、駆動軸４の右側と左側の先部１５は駆動軸４を中心にして水平方向から下に３５度前後の角度の範囲内に形成されると、午前６時と午後６時近くになると、時針５の先が目隠し装飾部８の上外縁１３からはみ出して見え、午前６時と午後６時の時間記号１０の付近を指すのが見えるので、上外縁１３からはみ出して時刻を指示し隠れていく時針５の右側の先から、上外縁１３から出て時刻を指示しはじめる時針５の左側の先へ、目線が自然に移動し違和感なく時刻を読み取ることが出きる。【００５３】  目隠し装飾部８の裏面や裏側に位置する文字盤２に照明具２９が設けられ、照明具２９のランプなどが点灯することで、照明具２９の光と目隠し装飾部８に光が反射して、文字盤２や指針などが照らされて暗いところでも時刻を知ることができる。目隠し装飾���８により照明具２９がかくされるので、光が直に見えないのでまぶしくなく、目隠し装飾部８のまわりから適度に分散された光を発するので装飾効果がある。また、目隠し装飾部８が薄い場合は照明具２９の光が目隠し装飾部８を透過して装飾用の図柄が照らされてステンドグラスのようになり装飾性が増す。【００５４】  なお、目隠し装飾部８は平面的な印刷などで形成されるほかに、エッチング加工などで透かし彫りされたり、彫刻されるなどして立体に形成されてもよく、透明材や半透明材に図柄を印刷したり、半透明材をそのまま使用して形成してもよいし、目隠し装飾部８の取付け方法も接着剤などのほかに、ネジ類で風防１２に取付け取り外し自由につけたり、はめ込み式にしたものや、マジックファスナーや磁気を利用して着脱自在につけたものなどその取付け方法は任意な方法でよく、風防１２に直接に図柄を印刷したり、凹凸をつけ立体的な装飾を施したり、切り込みや細かなキズをいれて図柄をつけて目隠し装飾部８とすることも可能であり、本体縁１６や風防１２の周りや端に目隠し装飾部８と関連性のある装飾を施し全体の装飾性を高めることもできる。【００５５】  目隠し装飾部８は、風防１３の内側でも外側でもまた両面を利用して形成されてもよく、時間記号１０や本体１の縁などの意匠と組み合わせた装飾にすることができる。目隠し装飾部８が風防の外側に形成されれば、高さ方向にさえぎられないので表面が凹凸の厚いデザインにも適し、目隠し装飾部８が風防１２の内側に形成されれば、風防１２に保護され傷つきにくくホコリなどで汚されることがなく使用できる。なお、目隠し装飾部８の裏側に照明ライトや音響具や、人形などがせり出したり揺動したり回転するなどの任意設定動作をするからくり物機構をもうけることも可能である。【００５６】  時間記号１０と分記号１１は、数字類や記号類、各種図柄などを組合せたり、置き換えたり、省略や簡略化したり、時間記号１０の一部が分記号１１として代用するなどして任意の意匠で形成されてよく、時間記号１０や分記号１１に使用する数字記号はアラビア数字や漢数字やローマ数字などその他の任意な数字類記号でよく、時間記号１０が分記号１１の内側に配置されても外側に配置されてもよく、時間記号１０や分記号１１は文字盤２だけでなく、本体縁１６や目隠し装飾部８などに単独でまたはこれらが複合的に組み合わせられてつけられて形成されてもてもよい。時針５や分針６が左まわりに回転する特殊な時計では時間記号１０や分記号１１もそれに合わせて左周りに順番につけ構成する。【００５７】  図１及び図２では秒針７をつけてあるが、秒針７をつけずに目隠し装飾部付時計が構成されてもよく、この場合、分針６が駆動軸４の最も前になるので目隠し装飾部８が分針６の回転を妨げないように分針６の前にすき間部９をもうけて目隠し装飾部８を風防１２の内側などにつけて目隠し装飾部付時計を構成する。分針６よりも駆動軸４の先端が前にあるときは、駆動軸４の先端が目隠し装飾部８の裏面にあたらないようにすき間部９を設ける。【００５８】夜を象徴する指針装飾としては北斗七星などの星座や星を模した装飾部品に所望により置き換えて時針につけて指針装飾部付時計を構成してもよい。ま��、目隠し装飾部８からはみ出したときに分針６と秒針７がわかりやすいように、分針６や秒針７にキャラクターなどの装飾部品をつけて目隠し装飾部付時計を構成してもよく、装飾部品に突起などがある場合は、突起の先端に目隠し装飾部８があたらないようにすき間部９を形成する。【００５９】  また、時針５は細板状や棒状の他に、板状などにして任意な形の時針５にかわる図柄を印刷して時針５とすることも可能であり、曜日や日数や月齢を示す指針とそれようの記号類がつけられて構成されてもよく、液晶などのデジタル表示式の時計と組み合わせた構成にすることも可能であり、風防１２は、透明性のガラスや樹脂などで平板状につくられる他に、時計皿のように中央部をふくらませ断面形状が円弧状に形成されたものや、レンズ状に形成されて指針や文字盤が拡大して見えるようにされたものや、レンズ状に形成されたものに平面カット部が設けられ装飾性を高めたものなどがあり、これらを風防１２として使用することもできる。【００６０】  この目隠し装飾部付時計は、置き時計、腕時計、壁掛け時計、振り子時計、カラクリ時計、アラーム付き時計などの各種様式の時計に適用でき、本体はそれらの時計に合わせて構成されるものとし、例として図１、図２に示される置き時計や掛け時計などを想定したものの本体１は、一例として時計本体３が本体１に開けられた穴につけられ、図示されないが各種指針用の調整用のつまみや、電池の収納部のフタなどが、本体１の裏側の外にあらわれるように構成され、一例として腕時計に適用した場合は、時計に設けられ構成される。【００６１】  図３、図４で示すものは、目隠し装飾部８は風防１２の外面に図示されないネジ止めで密着してつけられ、すき間部９は風防１２と秒針７の間に形成され、目隠し装飾部８には装飾用開口部１７が設けられ、時針５の太陽状指針装飾部１９と駆動軸４の間に指針装飾部の一例として第２太陽状指針装飾部２６を設け、月状指針装飾部２０と駆動軸４の間に指針装飾部の一例として第２月状指針装飾部２７を設け、時針５が回転しても上外縁１３からはみ出さないように、第２太陽状指針装飾部２６と第２月状指針装飾部２７は目隠し装飾部８の上外縁１３より内側につけられ、装飾用開口部１７は、目隠し装飾部８の第２太陽状指針装飾部２６と第２月状指針装飾部２７が通過する軌跡上に設けられ、一例として駆動軸４の真下で、第２太陽状指針装飾２６と第２月状指針装飾全体２７が見える大きさの穴が開けらて形成され、照明具２９は目隠し装飾部８の裏で、時計本体３の左側と右側の文字盤２に穴をあけて２個設けられ、分の時刻を表す分記号１１は、５分後ごとに棒状の記号と、６０分、１５分、３０分、４５分の数字記号がで表示されている。【００６２】  目隠し装飾部８の上外縁１３に時針５の太陽状指針装飾部１９が見えて、時間が経過するとともに１２時近くになると、目隠し装飾部８の下を通過する第２月状指針装飾部２７が装飾用開口部１７より見え、さらに時間が経過すると装飾用開口部１７から外れて見えなくなる。また、上外縁１３に時針５の月状指針装飾部２０が見えて、時間が経過するとともに１２時近くになると、目隠し装飾部４の下を通過する第２太陽状指針装飾部２６が装飾用開口部１７より見え、さらに時間が経過すると装飾用開口部１７から外れて見えなくなる。指針装飾部である第２太陽状指針装飾部２６と第２月状指針装飾部２７が、装飾用開口部１７より一時的に見え隠れてゆく意外性のある動的装飾性の高い目隠し装飾部付時計を提供できる。【００６３】  装飾用開口１７は任意形の穴状や下外縁１４の一部を切欠かいて形成してもよく、その数や大きさは任意であり、目隠し装飾部８を、透明板や透明なシート状のものに印刷や塗装により着色して形成し、部分的に着色しない透明部を残して装飾用開口部１７として形成すれば、第２太陽状指針装飾部２６と第２月状指針装飾部２７は装飾用開口部１７の透明部を透して表から見える。なお、装飾用開口１７からは裏を通過する分針６や秒針７の一部も見えるので、分針６や秒針７に装飾部をつけて装飾用開口１７から見えるようにして動的装飾性を高めても良い。
その他の構成は図１、図２で示されるものと同様である。【００６４】  図５、図６で示すものは、目隠し装飾部８の左側と右側の先部１５にそれぞれ板状の支え部２１が左右対称状につけられ、上外縁１３と支え部２１の上側の縁が連続して円弧状に形成され、支え部２１の先が文字盤２の時間記号１０の６時がつけられた付近の本体１の本体縁１６に接触ほど近くまで伸ばされて形成され、一番長い指針の軌跡の外側で指針の動きを阻害しない部位に支柱状の止め部３０をつけて、すき間部９を設けて左側と右側の支え部２１を止め部３０で文字盤２に固定し、目隠し装飾部８は風防１２とすき間をあけてつけられ、上外縁１３には目隠し装飾部８を装飾するための縁装飾部２８が突出して設けられ、目隠し装飾部８の裏には照明具２９がつけられ、すき間部９は照明具２９が駆動軸４につけられた最前部の指針にあたらない距離で設けられ、照明具２９には図示されていないコード、電源、スイッチなどの点灯手段が目隠し装飾部８や文字盤２の裏側に設けられ、分針には分針装飾部３１がつけられ支え部２１に分針６が隠れても分針装飾部３１がはみ出して分針６を見やすくなるようにされ、分の時刻を表す分記号１１は、５分後ごとに棒状の記号で表示された、目隠し装飾部付時計である。【００６５】  支え部２１と目隠し装飾部８を厚みのある樹脂や木などの板状の物で構成すれば、目隠し装飾部８を支え部２１が強固に支えて保持するので大きくて重い目隠し装飾部８をつけることができ、立体的な重い装飾を施した大型の時計など適し、目隠し装飾部８を支え部２１が固定するので風防１２があってもなくても目隠し装飾部８をつけることができる。また、先部１５につけられた支え部２１は、目隠し装飾部８を本体縁１６とつなげることで目隠し装飾部８の上外縁１３の側と下外縁１４を仕切るように分けて見えるので、上外縁１３による地平線や水平線のイメージが強調されたデザインになる。【００６６】  また、支え部２１の数や形、取付け位置は目隠し装飾部８の縁の任意の部位でよく、風防１２ない時計にも支え部２１をつけて目隠し装飾板８構成してもよく、目隠し装飾板８は風防１２の内側または外側でも、また風防１２の表と裏を利用して複数とりつくけて装飾することも可能である。目隠し装飾部８を風防１２に密着してつけなくても支え部２１により固定されるので、表面が凹凸のあるデザインの目隠し装飾部８をつけることができる。支え部２１をつけた目隠し装飾部８が風防１２の内側に形成されれば、表面に凹凸のある装飾にしても風防１２に保護されるので傷つきにくくホコリなどで汚されることがなく使用できる。【００６７】  目隠し装飾部８の裏面に照明具２９をつけることにより、照明具２９の光と目隠し装飾部８の裏面に反射した光が、文字盤２と時針５、分針６、秒針７の表面を照らすことができるので、文字盤２に指針の陰ができて立体的にみえる。【００６８】  なお、目隠し装飾部８の裏側に照明ライトや音響具や、せり出したり揺動したり回転するなどの任意設定動作をするからくり物機構が設けられ、からくり物機構を動かすからくり物制御駆動手段が設けられ、指針の位置を検出する検出手段が設けられ、検出手段の信号によりからくり物制御駆動手段が任��設定動作を、からくり物機構にさせたり、照明ライトを点滅させたり音を出したりするなどの機構が付加された、目隠し装飾部付時計では、照明ライトの電源コードや検出手段の信号コードや、からくりもの制御駆動手段の制御駆動コード類が、目隠し装飾部８と本体１の間に形成された支え部２１の裏側につけられ配線されれば、目隠し装飾部８の裏側と本体との間を結ぶコード類が、表から見えずに装飾性を損なわれずに照明具やからくり機構のついた目隠し装飾部付時計を構成できる。その他の構成は図１、図２で示される実施の形態と同様である。【００６９】  なお支え部２１は本体１の本体縁１６につけて固定することも可能であり、支え部２１の先を本体縁１６につけ、左側と右側の支え部２１の先をネジなどの止め部で、支え部２１の先が文字盤２の時間記号１０の６時がつけられた付近の本体１の本体縁１６につけて固定する。その他の構成は図５、図６で示される実施の形態と同様である。【００７０】  図７、図８で示すものは、指針装飾部１８の重心点２４より上に凸状の揺動支点２２が設けられ、時針５に揺動支点２２がゆるく嵌まる大きさの穴状の支点受２３が設けられ、揺動支点２２が支点受２３に貫通されて先端が突出され、突出された揺動支点２２の先端部に穴状の支点受２３を被い隠す大きさの平状の抜け防止部２５が設けられ、指針装飾部１８が揺動支点２２と支点受２３により時針５に揺動自在につけられた、目隠し装飾部付時計である。【００７１】  揺動用支点２２が指針装飾部１８の重心点２４より上に位置され、揺動用支点２２が支点受２３に揺動自在につけられ、回転する時針５の角度がどのように変化しても、指針装飾部１８が常に一定の角度を保つようにされたもので、一例として指針装飾部１８に顔を描いた太陽や月や雲や飛行機や天使などの装飾の場合に、斜めに傾いたりせずに常に一定の角度に姿勢が保たれる自然な感じの装飾効果を発揮する、目隠し装飾部付時計となる。【００７２】  なお、指針装飾部１８につの状の突出した装飾などがつけられ重心点２４が揺動支点２２の下にならない場合は、指針装飾部１８に鉛などで重りをつけ重心点２４を揺動支点２２より下に強制的に位置させ、指針装飾部１８を構成してもよい。
その他の構成は図１、図２で示されるものと同様である。
【図面の簡単な説明】
【００７３】
【図１】  本発明の一実施例を示す、正面図である。
【図２】  本発明の一実施例を示す、正面中央断面図である。
【図３】  本発明の一実施例を示す、正面図である。
【図４】  本発明の一実施例を示す、正面中央断面図である。
【図５】  本発明の一実施例を示す、一部拡大正面図である。
【図６】  本発明の一実施例を示す、一部拡大正面中央断面図である。
【符号の説明】
【００７４】  １    本体
２    文字盤
３    時計本体
４    駆動軸
５    時針
６    分針
７    秒針
８    目隠し装飾部
９    すき間部
１０  時間記号
１１  分記号
１２  風防
１３  上外縁
１４  下外縁
１５  先部
１６  本体縁
１７  装飾用開口部
１８  指針装飾部
１９  太陽状指針装飾部
２０  月状指針装飾部
２１  支え部
２２  揺動支点
２３  支点受
２４  重心点
２５  抜け防止部
２６  第２太陽状指針装飾部
２７  第２月状指針装飾部
２８  縁装飾部
２９  照明具
３０  止め部
３１  分針装飾部
【図１】
2005098952.tif 000003
【図２】
2005098952.tif 000004
【図３】
2005098952.tif 000005
【図４】
2005098952.tif 000006
【図５】
2005098952.tif 000007
【図６】
2005098952.tif 000008
【図７】
2005098952.tif 000009
【図８】
2005098952.tif 000010
【手続補正書】
【提出日】平成15年12月15日(2003.12.15)
【手続補正１】
【補正対象書類名】明細書
【補正対象項目名】図面の簡単な説明
【補正方法】変更
【補正の内容】
【図面の簡単な説明】
【００７３】
【図１】  本発明の一実施例を示す、正面図である。
【図２】  本発明の一実施例を示す、正面中央断面図である。
【図３】  本発明の一実施例を示す、正面図である。
【図４】  本発明の一実施例を示す、正面中央断面図である。
【図５】  本発明の一実施例を示す、正面図である。
【図６】  本発明の一実施例を示す、正面中央断面図である。
【図７】  本発明の一実施例を示す、一部拡大正面図である。
【図８】  本発明の一実施例を示す、一部拡大正面中央断面図である。
【符号の説明】
【００７４】
１    本体
２    文字盤
３    時計本体
４    駆動軸
５    時計
６    分針
７    秒針
８    目隠し装飾部
９    すき間部
１０  時間記号
１１  分記号
１２  風防
１３  上外縁
１４  下外縁
１５  先部
１６  本体縁
１７  装飾用開口部
１８  指針装飾部
１９  太陽状指針装飾部
２０  月状指針装飾部
２１  支え部
２２  揺動支点
２３  支点受
２４  重心点
２５  抜け防止部
２６  第２太陽状指針装飾部
２７  第２月状指針装飾部
２８  縁装飾部
２９  照明具
３０  止め部
３１  分針装飾部